(57)【要約】【課題】断熱部材の位置ずれを抑制し、断熱性能の低下を抑制することができる電気炊飯器を提供すること。【解決手段】電気炊飯器は、被加熱物を誘導加熱する誘導加熱コイルを有する誘導加熱ユニットと、被調理物を収容し、誘導加熱コイルによって加熱される内釜、内釜を収容する本体、および、本体の上面全体を覆うように開閉自在に設けられた蓋体を有する炊飯ユニットと、を備え、本体は、内釜が収容される内側胴部と、内側胴部の側面を囲うように設けられた断熱部材と、を備え、本体は、さらに、断熱部材の側面を囲うように設けられ、内側胴部とで断熱部材を挟むリブ、および、内側胴部よりも外側に設けられ、断熱部材に挿入されるピン、のうち少なくとも一方を備えたものである。【選択図】図１
2019069085.tif 000002
【特許請求の範囲】
【請求項１】
被加熱物を誘導加熱する誘導加熱コイルを有する誘導加熱ユニットと、
被調理物を収容し、前記誘導加熱コイルによって加熱される内釜、前記内釜を収容する本体、および、前記本体の上面全体を覆うように開閉自在に設けられた蓋体を有する炊飯ユニットと、を備え、
前記本体は、
前記内釜が収容される内側胴部と、
前記内側胴部の側面を囲うように設けられた断熱部材と、を備え、
前記本体は、さらに、前記断熱部材の側面を囲うように設けられ、前記内側胴部とで前記断熱部材を挟むリブ、および、前記内側胴部よりも外側に設けられ、前記断熱部材に挿入されるピン、のうち少なくとも一方を備えた
電気炊飯器。
【請求項２】
前記本体は、前記リブおよび前記ピンの両方を備えた
請求項１に記載の電気炊飯器。
【請求項３】
前記断熱部材の底面は、前記内釜の底面よりも上側に位置している
請求項１または２に記載の電気炊飯器。
【請求項４】
前記本体は、
前記リブと、
前記リブよりも外側に設けられた表示部と、を備えた
請求項１〜３のいずれか一項に記載の電気炊飯器。
【請求項５】
前記内側胴部よりも外側の底面に設けられた底板を備え、
前記底板は、前記断熱部材の下方に位置する支持部を備えた
請求項１〜４のいずれか一項に記載の電気炊飯器。
【請求項６】
前記本体は、
前記内側胴部と前記底板との間に形成された隙間を埋めるシール部材を備えた
請求項５に記載の電気炊飯器。
【請求項７】
前記内側胴部の側面の厚みは、前記内側胴部の底面の厚みよりも大きい
請求項１〜６のいずれか一項に記載の電気炊飯器。
【請求項８】
前記断熱部材は、前記内側胴部の側面と高さ方向において、同じ長さ、かつ、同じ位置である
請求項１〜７のいずれか一項に記載の電気炊飯器。
【発明の詳細な説明】
【技術分野】
【０００１】
本発明は、誘導加熱ユニットと炊飯ユニットとを備えた電気炊飯器に関するものである。
【背景技術】
【０００２】
従来、誘導加熱ユニットと炊飯ユニットとを備えた電気炊飯器がある（例えば、特許文献１参照）。
【０００３】
特許文献１の電気炊飯器は、卓上型の誘導加熱ユニットの上に炊飯ユニットを搭載することにより、誘導加熱によって炊飯動作が可能となっている。そして、炊飯動作終了後は、炊飯ユニットをお櫃として食卓に運べるようになっている。また、誘導加熱ユニットは、単独で誘導加熱調理に使用することができるようになっている。
【０００４】
また、炊飯ユニットには、断熱性能を高めるため、内釜が収容される内側胴部の外側に、その内側胴部を囲うように断熱部材が設けられている。
【先行技術文献】
【特許文献】
【０００５】
【特許文献１】特許第６１４８７７４号公報
【発明の概要】
【発明が解決しようとする課題】
【０００６】
特許文献１の電気炊飯器では、断熱部材が粘着テープによって内側胴部の外側に固定されているが、粘着テープの熱劣化および経年劣化によって剥がれ、断熱部材の位置がずれてしまい、断熱性能が低下してしまうという課題があった。
【０００７】
本発明は、以上のような課題を解決するためになされたもので、断熱部材の位置ずれを抑制し、断熱性能の低下を抑制することができる電気炊飯器を提供することを目的としている。
【課題を解決するための手段】
【０００８】
本発明に係る電気炊飯器は、被加熱物を誘導加熱する誘導加熱コイルを有する誘導加熱ユニットと、被調理物を収容し、前記誘導加熱コイルによって加熱される内釜、前記内釜を収容する本体、および、前記本体の上面全体を覆うように開閉自在に設けられた蓋体を有する炊飯ユニットと、を備え、前記本体は、前記内釜が収容される内側胴部と、前記内側胴部の側面を囲うように設けられた断熱部材と、を備え、前記本体は、さらに、前記断熱部材の側面を囲うように設けられ、前記内側胴部とで前記断熱部材を挟むリブ、および、前記内側胴部よりも外側に設けられ、前記断熱部材に挿入されるピン、のうち少なくとも一方を備えたものである。
【発明の効果】
【０００９】
本発明に係る電気炊飯器によれば、本体は、断熱部材の側面を囲うように設けられ、内側胴部とで断熱部材を挟むリブ、および、内側胴部よりも外側に設けられ、断熱部材に挿入されるピン、のうち少なくとも一方を備えている。そのため、断熱部材の位置ずれを抑制し、断熱性能の低下を抑制することができる。
【図面の簡単な説明】
【００１０】
【図１】本発明の実施の形態に係る電気炊飯器の斜視図である。
【図２】本発明の実施の形態に係る電気炊飯器の内部構成図である。
【図３】図２のＸ−Ｘ断面の矢視図である。
【図４】図２のＹ−Ｙ断面の矢視図である。
【図５】本発明の実施の形態に係る電気炊飯器の後方側を拡大した第一の内部構成図である。
【図６】本発明の実施の形態に係る電気炊飯器の後方側を拡大した第二の内部構成図である。
【図７】本発明の実施の形態に係る電気炊飯器の後方側を拡大した第三の内部構成図である。
【発明を実施するための形態】
【００１１】
以下、本発明の電気炊飯器について、図面を用いて詳細に説明する。なお、以下の図面では各構成部材の大きさの関係が実際のものとは異なる場合がある。また、以下の図面において、同一の符号を付したものは、同一またはこれに相当するものであり、このことは明細書の全文において共通することとする。さらに、明細書全文に表わされている構成要素の形態は、あくまでも例示であって、これらの記載に限定されるものではない。
【００１２】
実施の形態．
図１は、本発明の実施の形態に係る電気炊飯器１００の斜視図である。図２は、本発明の実施の形態に係る電気炊飯器１００の内部構成図である。図３は、図２のＸ−Ｘ断面の矢視図である。図４は、図２のＹ−Ｙ断面の矢視図である。
【００１３】
図１の実線で示す両矢印に関して、Ｒ方向およびＬ方向は、それぞれ電気炊飯器１００の右方向および左方向を示すものとする。また、図１の破線で示す両矢印に関して、ＢＫ方向およびＦＲ方向は、それぞれ電気炊飯器１００の後ろの方向および前方の方向を示すものとする。
【００１４】
図１〜図４に示されるように、電気炊飯器１００は、炊飯ユニット１と、誘導加熱ユニット１０と、を備えている。炊飯ユニット１は、誘導加熱ユニット１０の上面を構成するトッププレート２２の上に載置されているだけであり、ネジ等の連結手段で固定していないので、持ち上げれば誘導加熱ユニット１０の上面から簡単に離すことができる。誘導加熱ユニット１０は、炊飯ユニット１を載置する部材であり、例えば、電気炊飯器１００の側面視において略Ｌ字形状に構成されている。
【００１５】
炊飯ユニット１は、角型（立方体）形状の本体１Ａと、この本体１Ａにヒンジ４９で連結された蓋体１Ｂと、を備えている。
【００１６】
本体１Ａは、脚部２と、内釜３と、第二表示部１１Ｂと、内釜温度検知部１５と、本体側入力操作部１８と、永久磁石３０と、内側胴部３２と、断熱部材３３と、底板３４と、第二赤外線通信部３６Ｂと、受電コイル４１Ｂと、を備えている。また、本体１Ａは、ピン３２Ｂと、リブ３２Ａ、３４Ａと、支持部３４Ｂと、を備えている。
【００１７】
蓋体１Ｂは、蓋開閉ボタン８と、第一表示部１１Ａと、第二入力操作部１２と、内蓋２３と、を備えている。
【００１８】
誘導加熱ユニット１０は、本体ケース１０Ａと、冷却ファン１３と、誘導加熱コイル１４と、第一入力操作部２０と、表示部２１Ａと、突起部２１と、トッププレート２２と、を備えている。また、誘導加熱ユニット１０は、天板温度検知部３８と、インバーター基板３９と、第一赤外線通信部３６Ａと、給電コイル４１Ａと、を備えている。
【００１９】
炊飯ユニット１の外郭を形成する本体１Ａは、例えばＰＰ（ポリプロプレン）等の樹脂材料から形成されており、同様に、誘導加熱ユニット１０の外郭を形成する本体ケース１０Ａも、例えばＰＥＴ（ポリエチレンテレフタレート）等の樹脂材料から形成されている。
【００２０】
炊飯ユニット１の本体１Ａは、上部に開口部を有し、内釜３を収容する部材である。この本体１Ａには、蓋体１ＢおよびＵ字形状のハンドル（図示せず）が取り付けられている。そのハンドルは、本体１Ａの左右側面に両方の端部が回動自在に固定され、炊飯ユニット１全体を持ち上げる際に使用される。
【００２１】
蓋体１Ｂは、本体１Ａの上面全体を覆うように開閉自在に設けられている。この蓋体１Ｂは、平面視して正方形または長方形の部材であり、平面視して本体１Ａとほとんど同じ大きさの正方形または長方形を有している。
【００２２】
内釜３は、上部に開口部を有する略有底筒状の部材である。磁性金属または炭素等の材料で形成されており、この内釜３には、例えば米等の被調理物が投入される。内釜温度検知部１５は、内釜３の近傍に設けられ、内釜３の温度を計測するものである。この内釜温度検知部１５は、例えばサーミスタで構成されている。
【００２３】
受電コイル４１Ｂは、例えば、炊飯ユニット１の内部に設けられているコイルであり、給電コイル４１Ａから受電コイル４１Ｂへ送られる電力に基づいて、蓄電手段である給電部（図示せず）に給電するように機能する。なお、非接触で給電部に給電する方式としては、電磁誘導方式、磁界共鳴方式、電界結合方式等がある。
【００２４】
蓋開閉ボタン８は、炊飯ユニット１の前面側から後方側に向かう力が加えられることで、蓋体１Ｂが本体１Ａから開放されるように構成されており、例えば、本体１Ａの前面に設けられている。例えば、図１に示される状態で、蓋開閉ボタン８に対して、炊飯ユニット１の前方側から後方側に向かう力が加えられることで、蓋体１Ｂは、本体１Ａとのロック機構（図示せず）が外れ、蓋体１Ｂの後方に内蔵されているバネ機構（図示せず）の力で開放する。
【００２５】
第二入力操作部１２は、蓋体１Ｂの上面前方部に配置されており、炊飯量、米の銘柄、炊飯の硬さ、予約炊飯する場合の炊飯完了時刻または時間帯等の各種炊飯条件の操作入力を受け付ける操作手段である。また、第二入力操作部１２は、複数の押圧式の入力スイッチで構成されている。なお、押圧式の入力スイッチに代えてタッチ式の入力スイッチで第二入力操作部１２を構成してもよいし、押圧式の入力スイッチと併用してタッチ式の入力スイッチを設けてもよい。
【００２６】
本体側入力操作部１８は、本体１Ａの前面に配置されており、重量の計測開始、重量の計測結果キャンセル等の操作入力を受け付ける操作手段である。また、本体側入力操作部１８は、押圧式の入力スイッチで構成されている。なお、押圧式の入力スイッチに代えてタッチ式の入力スイッチで本体側入力操作部１８を構成してもよいし、押圧式の入力スイッチと併用してタッチ式の入力スイッチを設けてもよい。
【００２７】
第一表示部１１Ａは、第二入力操作部１２とほぼ同じ位置に配置されており、第二入力操作部１２の入力結果、および、電気炊飯器１００の各種情報を、文字、数字、図形等で表示するものである。また、第二表示部１１Ｂは、本体側入力操作部１８とほぼ同じ位置に配置されており、本体側入力操作部１８の入力結果、および、電気炊飯器１００の各種情報を、文字、数字、図形等で表示するものである。
【００２８】
第一表示部１１Ａおよび第二表示部１１Ｂは、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）等で構成されている。
【００２９】
第一表示部１１Ａは、例えば、炊飯ユニット１が誘導加熱ユニット１０の上から取り外された場合において、保温可能な時間を表示する。また、第一表示部１１Ａは、例えば、給電部の蓄電状態を表示する。また、第一表示部１１Ａは、例えば、現在の蓄電状態を０％〜１００％の範囲内で表示する。さらに第一表示部１１Ａは、給電部の充電が完了するまでに要する時間を表示する。
【００３０】
第二表示部１１Ｂは、例えば、炊飯する米の重量、および、適正量等の情報を、文字または数字等で表示する。
【００３１】
冷却ファン１３は、誘導加熱ユニット１０において、半導体集積回路または電子回路等で構成された制御装置（図示せず）において発生した熱を、空気中に逃がすための送風手段である。また、冷却ファン１３は、誘導加熱コイル１４を冷却する。冷却ファン１３が回転すると、冷却ファン１３から誘導加熱コイル１４側および制御装置側に向かう空気流れが生成される。
【００３２】
誘導加熱コイル１４は、発生する磁力線によって被加熱物である内釜３自体を誘導加熱し、その内釜３の内部に収容される米および水等の被調理物を加熱するものである。誘導加熱コイル１４は、例えば、炊飯ユニット１が誘導加熱ユニット１０の上に載置された状態で、その内釜３の下方に位置するように設けられており、細い銅線等がドーナツ状に巻かれて形成されている。
【００３３】
給電コイル４１Ａは、誘導加熱ユニット１０から炊飯ユニット１へ電力を供給するものである。炊飯ユニット１が誘導加熱ユニット１０のトッププレート２２に載置されている状態で、給電コイル４１Ａと受電コイル４１Ｂとは、トッププレート２２および炊飯ユニット１の底板３４を介して対向するように配置される。
【００３４】
天板温度検知部３８は、トッププレート２２の近傍に設けられ、トッププレート２２の温度を計測するものである。この天板温度検知部３８は、例えばサーミスタが使用されている。
【００３５】
脚部２は、炊飯ユニット１の底面の４つの隅部にそれぞれ設けられている。これら脚部２の内部には、それぞれ重量センサー４が配置されており、炊飯ユニット１の重量をグラム単位で計測できるようになっている。
【００３６】
第一入力操作部２０は、誘導加熱ユニット１０の上面前方部に、横長帯状に配置されている。この第一入力操作部２０は、炊飯ユニット１とは無関係に、誘導加熱ユニット１０単独で誘導加熱調理を行えるように、使用者が、火力、調理メニュー（湯沸しおよび煮物等）、調理時間等の、誘導加熱コイル１４による加熱条件を入力できるようになっている。また、第一入力操作部２０では、複数の押圧式の入力スイッチで構成されている。なお、押圧式の入力スイッチに代えてタッチ式の入力スイッチで第一入力操作部２０を構成してもよいし、押圧式の入力スイッチと併用してタッチ式の入力スイッチを設けてもよい。
【００３７】
また、第一入力操作部２０は、炊飯ユニット１が誘導加熱ユニット１０の上の基準位置に載置された状態では、炊飯ユニット１によって上方から覆い隠された状態となる。ここで、基準位置とは、炊飯ユニット１を誘導加熱ユニット１０の上に載置して炊飯を行う場合の、誘導加熱ユニット１０に対する炊飯ユニット１の位置である。
【００３８】
本実施の形態では、炊飯ユニット１が誘導加熱ユニット１０に対して基準位置に載置された状態では、第一赤外線通信部３６Ａと第二赤外線通信部３６Ｂとが通信可能な状態で正対し、後述する永久磁石３０と載置検知センサー（図示せず）とが対向する。なお、炊飯ユニット１が誘導加熱ユニット１０に対して基準位置に載置された状態では、給電コイル４１Ａと受電コイル４１Ｂとが、トッププレート２２および炊飯ユニット１の底板３４を介して送電可能な状態で対向する。
【００３９】
表示部２１Ａは、第一入力操作部２０とほぼ同じ位置に配置されており、第一入力操作部２０の入力結果、および、誘導加熱ユニット１０の誘導加熱動作の状態および条件（例えば、火力値、加熱時間）等の各種情報を、文字、数字、図形等で表示するものである。表示部７０Ｄは、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）等で構成されている。
【００４０】
トッププレート２２は、耐熱性のガラス等から形成されており、誘導加熱ユニット１０の上面に設けられてその上面を構成している。また、トッププレート２２の上面には、第一入力操作部２０の後方を真横に横切るように左右に長く形成された凸形状の突起部２１が設けられている。この突起部２１は、トッププレート２２の上面の横幅全体に及ぶような長さを有しており、耐熱性と弾力性とを有した材料で形成されており、例えばシリコンゴムから形成されている。
【００４１】
突起部２１は、炊飯ユニット１の底板３４と、第一入力操作部２０の上面との対向間隔を狭めており、それにより、後方にある誘導加熱コイル１４の真上の位置で発生する熱気が、この突起部２１を乗り越えて第一入力操作部２０側に流れることが抑制される。そのため、電気炊飯器１００で炊飯動作を行った際に、誘導加熱コイル１４によって炊飯ユニット１の底面が高温になっても、第一入力操作部２０の部分が過熱状態になることが抑制される。そして、炊飯ユニット１の使用が終わって、その炊飯ユニット１を誘導加熱ユニット１０の上から取り外した後、第一入力操作部２０の部分が熱くて、直ぐに誘導加熱ユニット１０による別の加熱調理を開始できないという事態が抑制される。
【００４２】
内蓋２３は、蓋体１Ｂの底面に、内釜３の上面開口を塞ぐように開閉自在に設けられており、アルミニウム等の熱伝導性のよい金属薄板で、平面視して円形に形成されている。また、この内蓋２３の上面には、蓋体加熱部である電気ヒータ（図示せず）が配置されている。
【００４３】
内蓋２３の周囲には、シール用パッキン（図示せず）が設けられており、このシール用パッキンは、シリコンゴム等の耐熱性および弾力性に富む材料で形成されている。そして、蓋体１Ｂを閉じた状態では、内蓋２３とシール用パッキンとによって内釜３は密閉される。なお、内蓋２３には、炊飯時の蒸気抜きのための小さな孔が形成されており、炊飯ユニット１の外部に連通する蒸気排出通路が蓋体１Ｂの内部を貫通するように形成されている。
【００４４】
内側胴部３２は、図３および図４に示されるように、本体１Ａに収容された内釜３の周囲を囲むように、平面視して円周状に設けられている。内側胴部３２は、例えばＰＥＴ（ポリエチレンテレフタレート）等の耐熱樹脂、または、アルミニウム等の誘導加熱されないような非磁性金属で構成されている。
【００４５】
永久磁石３０は、本体１Ａの内部の前面側で、誘導加熱ユニット１０に設けられた載置検知センサーに対応する位置に設けられている。なお、載置検知センサーは、例えばリードスイッチであり、炊飯ユニット１が誘導加熱ユニット１０の上の基準位置に載置されていれば、永久磁石３０の磁気に反応してＯＮとなる。
【００４６】
インバーター基板３９は、電源部（図示せず）からの電力を受けて、高周波電力を発生させ、誘導加熱コイル１４に供給するものである。また、インバーター基板３９には、半導体電力制御素子、スイッチング素子等の各種電気部品が実装されている。
【００４７】
断熱部材３３は、内側胴部３２の側面を囲うように、平面視して円周状に設けられ、保温性能を向上させるものである。例えばウレタン等で構成されている。
【００４８】
底板３４は、内側胴部３２よりも外側の底面に設けられており、内側胴部３２の底面と底板３４とで、本体１Ａの底面を構成している。また、底板３４は、例えばＰＥＴ（ポリエチレンテレフタレート）等の耐熱樹脂で構成されている。
【００４９】
リブ３２Ａ、３４Ａは、断熱部材３３の側面を囲うように、平面視して円周状に設けられている。リブ３２Ａは、本体１Ａの上部３５からその下方の底板３４に向かって突出しており、リブ３４Ａは、本体１Ａの底板３４からその上方の上部３５に向かって突出している。そして、内側胴部３２とリブ３２Ａ、３４Ａとで、断熱部材３３を挟むことにより、断熱部材３３の水平方向の動きを規制している。
【００５０】
ピン３２Ｂは、内側胴部３２よりも外側かつリブ３２Ａよりも内側に設けられており、本体１Ａの上部３５からその下方の底板３４に向かって突出している。そして、このピン３２Ｂに断熱部材３３の上部が挿入されることにより、断熱部材３３の上下方向の動きを規制している。
【００５１】
支持部３４Ｂは、内側胴部３２よりも外側かつリブ３４Ａよりも内側に設けられており、本体１Ａの底板３４からその上方の上部３５に向かって突出している。そして、この支持部３４Ｂが、断熱部材３３の下方に位置することにより、断熱部材３３の上下方向の動きを規制している。
【００５２】
このように、本実施の形態に係る電気炊飯器１００では、リブ３２Ａ、３４Ａ、ピン３２Ｂ、および、支持部３４Ｂによって、断熱部材３３の水平方向および上下方向の動きを規制している。そのため、断熱部材３３の位置ずれを抑制することができ、断熱性能の低下を抑制することができる。
【００５３】
なお、本実施の形態に係る電気炊飯器１００では、リブ３２Ａ、３４Ａ、および、ピン３２Ｂの両方を備えた構成としたが、それに限定されず、少なくとも一方を備えていればよい。また、リブ３２Ａおよびリブ３４Ａの両方を備えた構成としたが、それに限定されず、断熱部材３３の上下方向の動きを規制することができれば、少なくともいずれか一方を備えているのみでもよい。
【００５４】
また、図２および図３に示されるように、第二表示部１１Ｂは、リブ３２Ａ、３４Ａよりも外側に設けられている。ここで、電気炊飯器１００の炊飯動作時または保温動作時、リブ３２Ａ、３４Ａよりも内側の空間には、米等の被調理物が収容された内釜３が配置されており、その内釜３は誘導加熱コイル１４により誘導加熱される。そのため、リブ３２Ａ、３４Ａよりも内側の空間は、温度が高くなりやすい。一方、リブ３２Ａ、３４Ａよりも外側の空間は、断熱部材３３によって熱が遮断されるため、温度が高くなりにくい。そこで、リブ３２Ａ、３４Ａよりも外側の空間に、第二表示部１１Ｂ、および、その他の電子部品を配置することで、それらの熱による劣化を抑制することができる。
【００５５】
図５は、本発明の実施の形態に係る電気炊飯器１００の後方側を拡大した第一の内部構成図である。
図５に示されるように、断熱部材３３の底面３３Ａは、内釜３の底面３Ａよりも上側に位置している。ここで、電気炊飯器１００の炊飯動作時または保温動作時、内釜３の底面付近には米等の被調理物が収容されており、また、内釜３の底面３Ａの下方に誘導加熱コイル１４が設けられている。そのため、内釜３が誘導加熱コイル１４により誘導加熱される際、内釜３の底面３Ａ付近の方が内釜３の底面３Ａ付近の上側よりも温度が高くなりやすい。
【００５６】
このとき、断熱部材３３を上下方向において内釜３の側面３Ｂ全体に設けると、内釜３の底面３Ａ付近とその上側とでの温度ムラが生じやすくなってしまう。そこで、断熱部材３３の底面を、内釜３の底面３Ａよりも上側に位置するように設け、温度が高くなりやすい内釜３の底面３Ａ付近に断熱部材３３が設けられていないようにすることで、内釜３の底面３Ａ付近とその上側とでの温度ムラを抑制することができる。
【００５７】
また、断熱部材３３は、内側胴部３２の側面３２Ｃと高さ方向において、同じ長さ、かつ、同じ位置となるように設けられている。
【００５８】
図６は、本発明の実施の形態に係る電気炊飯器１００の後方側を拡大した第二の内部構成図である。
図６に示されるように、内側胴部３２の側面３２Ｃの厚みＵ１は、内側胴部３２の底面３２Ｄの厚みＵ２よりも大きく形成されている。内側胴部３２は、厚みが大きい方が、熱容量が大きくなり熱を逃がしづらくなるため、保温性能が向上する。
【００５９】
そこで、内側胴部３２の側面３２Ｃの厚みＵ１を内側胴部３２の底面３２Ｄの厚みＵ２よりも大きくすることで、内釜３の底面３Ａ付近よりも相対的に温度が低くなりやすくなるため、内釜３の底面３Ａ付近の上側の保温性能を向上させることができる。その結果、内釜３の底面３Ａ付近とその上側とでの温度ムラを抑制することができる。また、内側胴部３２の底面３２Ｄの厚みＵ２を相対的に小さくすることで、誘導加熱コイル１４による加熱効率を上昇させることができる。
【００６０】
図７は、本発明の実施の形態に係る電気炊飯器１００の後方側を拡大した第三の内部構成図である。
図７に示されるように、内側胴部３２の側面３２Ｃと底面３２Ｄとの間の湾曲面３２Ｅに隙間が形成されており、その隙間には内釜温度検知部１５が設けられている。また、内釜温度検知部１５の外側には、隙間を埋めるシール部材５３が設けられている。このシール部材５３は、例えばシリコンゴムで形成されている。
【００６１】
また、内側胴部３２の底面３２Ｄと底板３４との間に隙間が形成されており、その隙間には、隙間を埋めるシール部材５４が設けられている。このシール部材５４は、例えばシリコンゴムで形成されている。
【００６２】
このように、隙間をシール部材５３、５４で埋めることにより、意匠性向上、および、炊飯ユニット１の内部への異物混入を抑制することができる。
【００６３】
以上、本実施の形態に係る電気炊飯器１００は、誘導加熱ユニット１０と、炊飯ユニット１と、を備えている。また、炊飯ユニット１の本体１Ａは、内釜３が収容される内側胴部３２と、内側胴部３２の側面３２Ｃを囲うように設けられた断熱部材３３と、を備えている。また、本体１Ａは、さらに、断熱部材３３の側面を囲うように設けられ、内側胴部３２とで断熱部材３３を挟むリブ３２Ａ、および、内側胴部３２よりも外側に設けられ、断熱部材３３に挿入されるピン３２Ｂ、のうち少なくとも一方を備えている。
【００６４】
本実施の形態に係る電気炊飯器１００によれば、本体１Ａは、断熱部材３３の側面を囲うように設けられ、内側胴部３２とで断熱部材３３を挟むリブ３２Ａ、３４Ａ、および、内側胴部３２よりも外側に設けられ、断熱部材３３に挿入されるピン３２Ｂ、のうち少なくとも一方を備えている。そのため、断熱部材３３の位置ずれを抑制することができ、断熱性能の低下を抑制することができる。また、リブ３２Ａ、３４Ａ、および、ピン３２Ｂの両方を備えることにより、一方のみを備える場合よりも、断熱部材３３の位置ずれを抑制する効果を高めることができる。
【００６５】
また、本実施の形態に係る電気炊飯器１００において、断熱部材３３の底面は、内釜３の底面よりも上側に位置している。本実施の形態に係る電気炊飯器１００によれば、温度が高くなりやすい内釜３の底面付近に断熱部材３３が設けられていないようにすることができ、内釜３の底面付近とその上側とでの温度ムラを抑制することができる。
【００６６】
また、本実施の形態に係る電気炊飯器１００において、本体１Ａは、リブ３２Ａ、３４Ａよりも外側に設けられた第二表示部１１Ｂを備えている。本実施の形態に係る電気炊飯器１００によれば、温度が高くなりにくいリブ３２Ａ、３４Ａよりも外側の空間に、第二表示部１１Ｂが設けられているため、第二表示部１１Ｂの熱による劣化を抑制することができる。
【００６７】
また、本実施の形態に係る電気炊飯器１００において、底板３４は、断熱部材３３の下方に位置する支持部３４Ｂを備えている。本実施の形態に係る電気炊飯器１００によれば、支持部３４Ｂによって、断熱部材３３の上下方向の動きをさらに規制することができる。
【００６８】
また、本実施の形態に係る電気炊飯器１００において、内側胴部３２の側面３２Ｃの厚みＵ１は、内側胴部３２の底面３２Ｄの厚みＵ２よりも大きい。本実施の形態に係る電気炊飯器１００によれば、内釜３の底面３２Ｄ付近よりも相対的に温度が低くなりやすくなるため、内釜３の底面３２Ｄ付近の上側の保温性能を向上させることができる。そのため、内釜３の底面３２Ｄ付近とその上側とでの温度ムラを抑制することができる。
【００６９】
また、本実施の形態に係る電気炊飯器１００において、本体１Ａは、内側胴部３２と底板３４との間に形成された隙間を埋めるシール部材５４を備えている。本実施の形態に係る電気炊飯器１００によれば、隙間をシール部材５４で埋めることにより、意匠性向上、および、炊飯ユニット１の内部への異物混入を抑制することができる。
【符号の説明】
【００７０】
１  炊飯ユニット、１Ａ  本体、１Ｂ  蓋体、２  脚部、３  内釜、３Ａ  （内釜の）底面、３Ｂ  （内釜の）側面、４  重量センサー、８  蓋開閉ボタン、１０  誘導加熱ユニット、１０Ａ  本体ケース、１１Ａ  第一表示部、１１Ｂ  第二表示部、１２  第二入力操作部、１３  冷却ファン、１４  誘導加熱コイル、１５  内釜温度検知部、１８  本体側入力操作部、２０  第一入力操作部、２１  突起部、２１Ａ  表示部、２２  トッププレート、２３  内蓋、３０  永久磁石、３２  内側胴部、３２Ａ  リブ、３２Ｂ  ピン、３２Ｃ  （内側胴部の）側面、３２Ｄ  （内側胴部の）底面、３２Ｅ  （内側胴部の）湾曲面、３３  断熱部材、３３Ａ  （断熱部材の）底面、３４  底板、３４Ａ  リブ、３４Ｂ  支持部、３５  上部、３６Ａ  第一赤外線通信部、３６Ｂ  第二赤外線通信部、３８  天板温度検知部、３９  インバーター基板、４１Ａ  給電コイル、４１Ｂ  受電コイル、４９  ヒンジ、５３  シール部材、５４  シール部材、７０Ｄ  表示部、１００  電気炊飯器。
【図１】
2019069085.tif 000003
【図２】
2019069085.tif 000004
【図３】
2019069085.tif 000005
【図４】
2019069085.tif 000006
【図５】
2019069085.tif 000007
【図６】
2019069085.tif 000008
【図７】
2019069085.tif 000009